(57)【要約】【課題】  狙ったポイントに投げ込み易く、また、壊れにくいプロペラ付きルアーを提供する。【解決手段】  このルアーは、外形を魚に似せて形成され、頭部側端部にアイ５を有し尾部端部から背部側にかけて開口するように縦方向にスリットが形成されているルアー本体１と、ルアー本体のスリットを幅方向に貫通する軸１２と、軸１２を中心にしてスリット内を揺動自在に連結された揺動棒３と、揺動棒３の端部に回動自在に連結されるプロペラと４を備える。水中に投じる際には、揺動棒３が背部側に揺動してプロペラ４の空気抵抗を抑える。水中では、揺動棒３は水流を受けて尾部側に揺動し、プロペラ４は水流を受けて回転する。【選択図】      図２
2005185253.tif 000002
【特許請求の範囲】
【請求項１】
外形を魚に似せて形成され、頭部側端部に釣糸連結部を有し尾部端部から背部側にかけて開口するように縦方向にスリットが形成されているルアー本体と、
前記ルアー本体の前記スリットを幅方向に貫通する軸と、
前記軸を中心にして前記スリット内を揺動自在に連結された揺動棒と、
前記揺動棒の端部に回動自在に連結されるプロペラと
を備えた、ルアー。
【請求項２】
前記揺動棒は、前記軸を中心にして最も前記ルアー本体の背部側に揺動した状態において鉛直方向より頭部側に傾いている、請求項１に記載のルアー。
【発明の詳細な説明】
【技術分野】
【０００１】
本発明はルアー、特に、水中で流水を受けて回転するプロペラを有するタイプのルアーに関する。
【背景技術】
【０００２】
魚釣りに際しては、外形を魚に似せた合成樹脂・金属等から形成されたルアー（擬餌）が用いられる。このようなルアーとしては、魚の興味を引き立てるべく他種多様のタイプのものが開発され提供されている。例えば、ある種のルアーは、外形を魚に似せたルアー本体の尾部側端部に回動自在なプロペラを配備したものがある。水中でルアーを泳動させると、プロペラが回転して水流や水音等を発生し、魚の興味を引き立てて魚を誘引するのである。
【０００３】
このようにプロペラ付きルアーでは、そのプロペラが重要な意義を有するので、このプロペラに関してはさらに様々な工夫が施されてきた。例えば、あるプロペラ付きルアーは、そのプロペラの複数の羽根にあって個々の羽根の形状，大きさ，角度，厚み，材質等をそれぞれ異なるものとして、イレギュラーな回転運動をさせている（特許文献１参照）。
【０００４】
しかし、プロペラ付きルアーの問題点の１つが、ルアーをキャスティングする際にプロペラによって空気抵抗が大きくなり、狙ったポイントに上手くルアーを投げ込めないということがある。ルアーを利用する魚釣りにおいては、特定のポイントにルアーを投げ込むことが重要であり、この点の改善が強く要請される。
【０００５】
さらに、プロペラ付きルアーの他の問題点として、水中で障害物に当たった際にプロペラが変形してしまうということがある。朽ちた木や石，岩なども多いポイントにおいては、水中でプロペラ付きルアーを泳動させると、プロペラが障害物に当たって変形し、若しくは、プロペラが引っかかってルアーを回収できなくなる。
【特許文献１】特開２００１−２０４３０１号公報
【発明の開示】
【発明が解決しようとする課題】
【０００６】
本発明は、上記プロペラ付きルアーの問題点を鑑み、狙ったポイントに投じ易く、壊れ難い新規なルアーを提供するものである。
【課題を解決するための手段】
【０００７】
本発明のルアーは、外形を魚に似せて形成され、頭部側端部に釣糸連結部を有し尾部端部から背部側にかけて開口するように縦方向にスリットが形成されているルアー本体と、ルアー本体のスリットを幅方向に貫通する軸と、軸を中心にしてスリット内を揺動自在に連結された揺動棒と、揺動棒の端部に回動自在に連結されるプロペラとを備えている。
【０００８】
このルアーは、頭部側の釣糸連結部に釣糸を連結して用いられる。水中に投じられると、このルアーは尾部側を進行方向に向けて飛翔する。この飛翔時においては、空気抵抗を受けたプロペラ及び揺動棒が背部側に向かって揺動し、空気抵抗の発生を可及的に抑える。水中に投げ込まれた後においては、釣糸を巻き上げる等してルアーを頭部方向に向かって泳動させると、水流を受けてプロペラ及び揺動棒は尾部側に向かって揺動する。この状態で、プロペラは水流を受けて回転し、魚の興味を引き立てる。
【０００９】
さらに、水中でプロペラに岩などの障害物が当たっても、プロペラ及び揺動棒は軸を中心にしてその位置を変位させ、プロペラの破壊や障害物へのプロペラの引っかかりを防止する。
【００１０】
なお、揺動棒は、軸を中心にして最もルアー本体の背部側に揺動した状態において鉛直方向より頭部側に傾くようにするのが好ましい。プロペラが頭部側に傾くように設定することで、飛翔時の空気抵抗を大きく低減できる。
【発明の効果】
【００１１】
本発明にかかるルアーは、狙ったポイントに投じ易く、またプロペラも壊れ難い。
【発明を実施するための最良の形態】
【００１２】
以下、本発明の一実施形態について図面を参照しつつ説明する。
【００１３】
図１に示すように、本発明の１つの実施形態を採用したルアーを示す。このルアーは、外形が小魚に似せて形成されているルアー本体１と、ルアー本体１の頭部側端部から斜め下方に突出するリップ２と、ルアー本体１の尾部側に揺動自在に連結される揺動棒３と、揺動棒３の先端に回転自在に連結されるプロペラ４とを有している。
【００１４】
ルアー本体１は、図２に示すような中空の左右の半割部材を貼り合わせて一体化された合成樹脂等から形成されるものある。その形状は上述のように魚を模して形成されており、外周面には鱗模様・目・鰓等が描かれる。この半割部材の貼り合わせ面の一部に埋め込まれた状態で、ルアー本体１の頭部側にはアイ５が、腹部にもアイ６が配置されている。アイ５は釣糸を連結するための部分であり釣糸連結部である。アイ６にはスプリットリング７を介して釣針８が連結されている。さらに、ルアー本体１の腹部付近の貼り合わせ面の一部には、必要に応じて、錘１１が収納される。さらに、図２及び図３に詳しく示すように、ルアー本体１の半割部材の貼り合わせ面の尾部側の一部は切り欠かれており、ルアー本体１の尾部端部から背部側にかけて開口するように縦方向にスリットが形成される。このスリットを左右の幅方向に軸１２が貫通している。スリットは、水平方向の内壁を尾部側に、上下方向の内壁を鉛直方向（背側）より頭部側に傾けたものであり、両内壁の間の角度は鈍角になっている。
【００１５】
リップ２は薄板状の部分でありルアー本体１と一体的に形成されている。ルアー本体１の頭部側から斜め下方に突出し、水中で水を受けてルアー本体１の頭部側を水底方向に傾ける。必要に応じて、リップ２にも錘を埋め込む等の処理を施しても良い。
【００１６】
揺動棒３は、ステンレス，スチール等の合金若しくは硬質の合成樹脂から形成される。一端はリング状に折り曲げられており、軸１２がこのリング状部分を貫通している。揺動棒１３の長手方向の長さは他端がスリット内から十分にはみ出す程度の長さである。揺動棒３の他端側にはプロペラ４が回転可能に連結されている。そして、揺動棒３がスリットの水平方向の内壁から鉛直方向の内壁に当たる迄の範囲で、揺動棒３が軸１２を中心として揺動する。なお、この実施形態においては、軸１２がスリットの鉛直方向の内壁より尾部側に十分に変位して位置しており、また、スリットの上下方向の内壁が鉛直方向より頭部側に傾いているので、揺動棒３がスリットの内壁に当たる状態で、プロペラ４は鉛直方向より頭部側に傾く。
【００１７】
プロペラ４は、ステンレス，スチール等の金属若しくは硬質合成樹脂から形成され、軸穴部分と、軸穴部分から周外方向に延びる一対の羽根とから構成される。軸穴部分に揺動棒３が貫通する。一対の羽根は周方向においてそれぞれ１８０度変位して配置される。
【００１８】
このプロペラ４は、揺動棒３に対して任意の手法により回動自在に連結すれば足りる。例えば、このルアーでは、図４に示すような構造により、プロペラ４が揺動棒３に回動自在に連結されている。即ち、揺動棒３の他端側にはフランジ３ａが形成されると共に、他端側内部にはナット部分が形成されている。プロペラ４の軸穴に揺動棒３を挿通させて、フランジ３ａにより位置決めしている。この際、フランジ３ａとプロペラ４との間にはカップワッシャ２０を介在させる。このフランジ３ａとプロペラ４との間のカップワッシャ２０は湾曲面をプロペラ４側に向けた状態とする。そして、ヒートン２１を上述のナット部分に差し込んでプロペラ４を止める。このヒートン２１とプロペラ４との間にも別のカップワッシャ２０を介在させる。このヒートン２１とプロペラ４との間のカップワッシャ２０も湾曲面をプロペラ４側に向けた状態とする。なお、図１に示すように、このヒートン２０にさらにスプリットリング９を介して釣針１０を連結することもできる。
【００１９】
なお、プロペラ４の形状や羽根の数などは任意に設定可能である。さらに、プロペラ４を２つ隣接した状態で並べてもよい。例えば、図５に示すように、２つのプロペラ４を揺動棒３上に並べて配置する。この際、プロペラ４の羽根の傾きを変化させて、水流を受けて回転する際の、両者の回転方向を逆方向とし、さらに、両者が衝突して音を発生するようにしてもよい。
【００２０】
このルアーは、ルアー本体１のアイ５に釣糸を連結して用いられる。従って、水中に投じられると、このルアーはルアー本体１の尾部側を進行方向に向けて飛翔することになる。この飛翔時においては、空気抵抗を受けたプロペラ４及び揺動棒３がスリット内を背部側に向かって揺動し、空気抵抗の発生を可及的に抑える。水中に投げ込まれた後においては、釣人は釣糸を巻き上げる等してルアーを頭部方向に向かって泳動させる。この状態においては、水流を受けてプロペラ４及び揺動棒３はスリット内を尾部側に向かって揺動する。そして、プロペラ４は水流を受けて回転し、魚の興味を引き立てて誘引する。なお、水中でプロペラ４に岩などの障害物が当たっても、プロペラ４及び揺動棒３は軸１２を中心にしてその位置を変位させる。よって、プロペラ４の破壊や障害物へのプロペラ４の引っかかりも生じ難い。
【図面の簡単な説明】
【００２１】
【図１】本発明の１つの実施形態を採用したルアーを示した図。
【図２】図１のルアーの断面図。
【図３】図１のルアーの尾部側を背部側から見た図。
【図４】揺動棒３を示した拡大図。
【図５】プロペラ４と揺動棒３の変形例を示した図。
【符号の説明】
【００２２】
１  ルアー本体
３  揺動棒
４  プロペラ
１２  軸
【図１】
2005185253.tif 000003
【図２】
2005185253.tif 000004
【図３】
2005185253.tif 000005
【図４】
2005185253.tif 000006
【図５】
2005185253.tif 000007